(57)【要約】本発明は、配線（１１５）と外部接続端子（１１６）との間の接続不良を防止しつつ、表示装置等における狭額縁化を図ることができる回路基板を提供する。本発明は、基板（１１０）上に配線（１１５）、絶縁膜（１１４）及び外部接続端子（１１６）がこの順に配置された回路基板であって、上記回路基板は、外部接続端子（１１６）上に、導電粒子（１１７ｂ）を含む異方性導電膜（１１７）を備え、上記外部接続端子（１１６）は、絶縁膜（１１４）に形成された少なくとも１つのコンタクトホール（１１８）を介して配線（１１５）に接続され、平面視したときに、特定の外部接続端子（１１６）に接続する１以上のコンタクトホール（１１８）が形成された領域の一端から他端までの長さは、導電粒子（１１７ｂ）の直径よりも大きい回路基板である。
2010058619.tif 000002
【特許請求の範囲】
【請求項１】
基板上に配線、絶縁膜及び外部接続端子がこの順に配置された回路基板であって、
該回路基板は、外部接続端子上に、導電粒子を含む異方性導電膜を備え、
該外部接続端子は、絶縁膜に形成された少なくとも１つのコンタクトホールを介して配線に接続され、
平面視したときに、特定の外部接続端子に接続する１以上のコンタクトホールが形成された領域の一端から他端までの長さは、導電粒子の直径よりも大きいことを特徴とする回路基板。
【請求項２】
前記外部接続端子は、１つのコンタクトホールのみを介して配線に接続され、
平面視したときに、該コンタクトホールは、少なくとも一部で、導電粒子の直径よりも長い径を有することを特徴とする請求項１記載の回路基板。
【請求項３】
前記外部接続端子は、複数のコンタクトホールを介して配線に接続され、
平面視したときに、該複数のコンタクトホールが形成された領域の一端から他端までの長さは、導電粒子の直径よりも大きいことを特徴とする請求項１記載の回路基板。
【請求項４】
前記配線は、平面視したときに、その伸長方向に対して側方に突出した幅広部を有し、
前記コンタクトホールは、該幅広部に設けられていることを特徴とする請求項１〜３のいずれかに記載の回路基板。
【請求項５】
前記幅広部は、平面視したときに、前記配線の伸長方向に対して一方の側方のみに突出していることを特徴とする請求項４記載の回路基板。
【請求項６】
前記回路基板は、平面視したときに、平行して伸長する２以上の配線と、その伸長方向に並ぶ２以上の外部接続端子を有し、
該２以上の配線は、回路基板の端部側に向かって突出した幅広部を有し、かつ端部側に配置された配線が、その隣り合う配線よりも伸長方向への長さが短いことを特徴とする請求項５記載の回路基板。
【請求項７】
前記回路基板は、平面視したときに、平行して伸長する２以上の配線と、その伸長方向に並ぶ２以上の外部接続端子を有し、
該２以上の配線は、回路基板の内側に向かって突出した幅広部を有し、かつ内側に配置された配線が、その隣り合う配線よりも伸長方向への長さが短いことを特徴とする請求項５記載の回路基板。
【請求項８】
前記２以上の配線は、異なる面積のコンタクトホールで外部接続端子に接続されていることを特徴とする請求項６又は７記載の回路基板。
【請求項９】
前記２以上の配線は、配線長が長いほど面積の大きいコンタクトホールに接続されていることを特徴とする請求項８記載の回路基板。
【請求項１０】
請求項１〜９のいずれかに記載の回路基板を備えることを特徴とする表示パネル。
【請求項１１】
請求項１０記載の表示パネルを備えることを特徴とする表示装置。
【発明の詳細な説明】
【技術分野】
【０００１】
本発明は、回路基板、表示パネル及び表示装置に関する。より詳しくは、表示装置の狭額縁化を行うのに好適な回路基板、それを備える表示パネル及び表示装置に関するものである。
【背景技術】
【０００２】
近年の高度情報化に伴い、液晶ディスプレイ（ＬＣＤ）、プラズマディスプレイ（ＰＤＰ）、無機エレクトロルミネセンス（無機ＥＬ）ディスプレイ、有機エレクトロルミネセンス（有機ＥＬ）ディスプレイ等のフラットパネルディスプレイの市場は拡大しており、盛んに開発が行われている。【０００３】
これらのフラットパネルディスプレイが実装される、携帯電話、ＰＤＡ等の携帯型の電子機器においては、より一層の小型化及び軽量化が要求され、これに伴い、表示領域周辺（額縁領域）の小型化、すなわち、狭額縁化を図っていく傾向がある。【０００４】
また、従来の表示装置では、表示パネルを構成する基板の額縁領域に、駆動回路（ドライバ回路）等の駆動に必要な周辺回路を実装する形態をとっていた。これに対して、近年では、コスト削減、薄型化等を図るため、基板の額縁領域に周辺回路を組み込んだフルモノリシック型の回路基板を実装した表示装置について開発が進められるようになっている。【０００５】
従来の表示装置としては、例えば、走査線を駆動する走査線駆動回路に給電する共通配線および信号線を駆動する信号線駆動回路に給電する共通配線と、上記共通配線の各々を絶縁する層間絶縁膜と、上記各々の共通配線の一部を露出するよう上記層間絶縁膜に設けられた複数のコンタクトホール上にそれぞれ位置する複数の外部接続端子と、を具備した表示装置が開示されている（例えば、特許文献１参照。）。このような表示装置では、外部接続端子上に異方性導電膜を配置して、この異方性導電膜により外部との接続を行っている。
【先行技術文献】
【特許文献】
【０００６】
【特許文献１】特開平１０−２８２５２２号公報
【発明の概要】
【発明が解決しようとする課題】
【０００７】
従来の表示装置の形態では、外部接続端子と共通配線とをコンタクトホールで接続し、その外部接続端子上に、導電粒子を含む異方性導電膜を介して、フレキシブルプリント基板（ＦＰＣ：Ｆｌｅｘｉｂｌｅ  Ｐｒｉｎｔ  Ｃｉｒｃｕｉｔｓ）等の外付け部材を貼り付けることとなる。しかしながら、このような形態であると、導電粒子とコンタクトホールとが重畳した場合に、導電粒子によって外部接続端子を構成する導電膜が圧壊され、接続不良が生じることが見いだされた。また、上述したような、共通配線と外部接続端子が重畳している形態であれば、外部接続端子と共通配線とが重畳せずに配置されているような場合と比較して、額縁面積を小さくすることができるが、更なる狭額縁化を図るためには、工夫の余地があった。【０００８】
本発明は、上記現状に鑑みてなされたものであり、配線と外部接続端子との間の接続不良を防止しつつ、表示装置等における狭額縁化を図ることができる回路基板を提供することを目的とするものである。
【課題を解決するための手段】
【０００９】
本発明者は、外部接続端子が少なくとも１つのコンタクトホールを介して配線に接続された構成を有し、上記外部接続端子上に、導電粒子を含む異方性導電膜が設けられる回路基板の構成について種々検討したところ、外部接続端子上に配置される異方性導電膜とコンタクトホールとの関係に着目した。そして、外付け部材等を外部接続端子と接続する際に、異方性導電膜中の導電粒子により、外部接続端子が断線し、接続不良等を生じるおそれがあることを見いだした。更に、平面視したときに、特定の外部接続端子に接続する１以上のコンタクトホールが形成された領域の一端から他端までの長さを導電粒子の直径よりも大きくすることにより、導電粒子がコンタクトホールの全領域と重畳することはなく、配線と外部接続端子との接続不良を防止することができることを見いだした。これにより、接続不良等による製造歩留りの低下を抑制することができることに想到し、本発明に到達したものである。【００１０】
すなわち、本発明は、基板上に配線、絶縁膜及び外部接続端子がこの順に配置された回路基板であって、該回路基板は、外部接続端子上に、導電粒子を含む異方性導電膜を備え、該外部接続端子は、絶縁膜に形成された少なくとも１つのコンタクトホールを介して配線に接続され、平面視したときに、特定の外部接続端子に接続する１以上のコンタクトホールが形成された領域の一端から他端までの長さは、導電粒子の直径よりも大きい回路基板である。
以下に本発明を詳述する。【００１１】
本発明の回路基板は、基板上に配線、絶縁膜及び外部接続端子がこの順に配置された回路基板である。すなわち、基板上に配線と外部接続端子とが配置されており、その間に絶縁膜が配置された回路基板である。【００１２】
上記配線は、通常、回路基板において電流の経路となる部材である。上記配線としては、特に限定されるものではないが、例えば、表示装置に設けられる場合の配線としては、外部からの電力を供給する電源配線、外部からの信号を伝達する又は回路基板からの信号を外部に伝達するための信号配線等が挙げられる。フルモノリシック型の表示装置に用いられる回路基板においては、信号配線は、回路基板内のドライバ回路等に接続される。また、ドライバ回路等が外部に設けられるような場合には、信号配線として、表示を行うための画素に信号を伝達するソース配線、ゲート配線、補助容量配線等が設けられる。【００１３】
上記外部接続端子は、外部（例えば、ＦＰＣ等の外付け部材）からの電力及び／又は信号を配線に伝達するために用いられる端子又は回路基板からの信号を外部に伝達するために用いられる端子であり、導電性を有するものである。外部接続端子の構成は特に限定されず、例えば、単層の導電膜からなる単層膜でもよいし、複数の導電膜が積層された積層膜であってもよい。【００１４】
上記絶縁膜は、配線と外部接続端子とを、コンタクトホール等を介して接続される部分以外で電気的に分断（絶縁）するための絶縁材料で形成された膜である。上記絶縁膜を形成する材料としては、有機絶縁材料や、無機酸化物、無機窒化物等の無機絶縁材料等を用いることができ、特に限定されるものではない。上記絶縁膜は、１層であっても、複数層であってもよい。上記絶縁膜が複数層からなる場合には、複数の外部接続端子同士が導通しないように配置されるのであれば、各絶縁膜の間に導電層が介在していてもよい。【００１５】
上記回路基板は、外部接続端子上に、導電粒子を含む異方性導電膜を備えるものである。上記異方性導電膜は、面外方向（基板平面に対して法線方向）には導電性を有するが、面内方向（基板平面方向）には導電性を有しない膜である。これにより、外付け部材の各端子と回路基板の各外部接続端子とを１対１に対応させて電気的に接続することができる。また、異方性導電膜は、外部接続端子と外付け部材とを物理的に接着させるために、接着性を有するものであることが好ましい。このような異方性導電膜としては、絶縁材料中に含まれる導電粒子により、外部接続端子と外付け部材とを導通させるものが好適である。上記導電粒子の形状は、特に限定されるものではなく、立方体状、八面体状等でもよいが、球状が好適である。【００１６】
上記外部接続端子は、絶縁膜に形成された少なくとも１つのコンタクトホールを介して配線に接続され、平面視したときに、特定の外部接続端子に接続する１以上のコンタクトホールが形成された領域の一端から他端までの長さは、導電粒子の直径よりも大きいものである。このように、本発明の回路基板において、外付け部材と外部接続端子とは異方性導電膜により接続され、外部接続端子とその直下に（平面視したときに重畳する領域に）配置された配線とは、絶縁膜に形成されたコンタクトホールを介して接続される。【００１７】
特定の外部接続端子に接続する１以上のコンタクトホールが形成された領域の一端から他端までの長さが、導電粒子の直径よりも大きい形態としては、１つの外部接続端子に対して１つのコンタクトホールが設けられる形態（第一形態）と、１つの外部接続端子に対して複数のコンタクトホールが設けられる形態（第二形態）とに大別できる。【００１８】
１つの外部接続端子に１つのコンタクトホールが形成され、そのコンタクトホールの径が導電粒子の直径よりも小さい場合、図１１の断面模式図に示した回路基板のように、コンタクトホール８１８が形成されていない領域に形成されている絶縁膜８１４上の外部接続端子８１６と配線８１５とを接続するコンタクトホール８１８の導電部分が、導電粒子８１７ｂによって破壊され、接続不良が生じるおそれがある。これは、コンタクトホール壁面の導電層が端子面の導電層よりも薄くなっていることが要因の一つとして挙げられる。例えば、外部接続端子と外付け部材とを異方性導電膜により熱圧着する際に、異方性導電膜内の導電粒子と、コンタクトホールとが重なった場合、コンタクトホール壁面、及び／又は、コンタクトホール近傍の導電層（外部接続端子）が破壊されることにより、接続不良となるおそれがある。【００１９】
これに対して、本発明の第一形態では、上記外部接続端子は、１つのコンタクトホールのみを介して配線に接続され、平面視したときに、該コンタクトホールは、少なくとも一部で、導電粒子の直径よりも長い径を有する。このように、特定の外部接続端子に設けられるコンタクトホールが１つである場合、コンタクトホールが形成された領域の一端から他端までの長さは、コンタクトホール自身の径の長さとなり、少なくとも一つの向きに導電粒子の直径よりも長い部分があればよい。すなわち、コンタクトホールの最大径が導電粒子の直径よりも長ければよく、例えば、コンタクトホールの長軸の長さ（正方形や真円形のコンタクトホールでは長軸＝短軸とみなせる）が導電粒子の直径よりも長い形態が挙げられる。この形態１によれば、導電粒子の押し付けによってコンタクトホールが破壊されて外部接続端子と配線との間が断線することを効果的に抑制できるため、接続不良の防止に有効である。【００２０】
なお、本明細書において、導電粒子の直径とは、導電粒子が球形の場合には、その直径そのものを意味し、導電粒子が楕円体形状等の非球形の場合には、その最大径を意味している。導電粒子の直径は、例えば、光学顕微鏡を用いて計測することができる。また、計測に用いられる導電粒子は、例えば、特定の外部接続端子と重畳する複数の導電粒子の中から任意の１つを選択すればよい。【００２１】
また、本発明の第二形態では、上記外部接続端子は、複数のコンタクトホールを介して配線に接続され、平面視したときに、該複数のコンタクトホールが形成された領域の一端から他端までの長さは、導電粒子の直径よりも大きい。このように、一つの外部接続端子に複数のコンタクトホール（一群のコンタクトホール）が設けられる場合には、一つのコンタクトホールの外縁の一箇所から他のコンタクトホールの外縁の一箇所までの距離（一群のコンタクトホールの外縁間の距離）が導電粒子の直径よりも大きくされる。例えば、図１５に示すように、複数のコンタクトホール８の端から端までの距離Ｌが導電粒子１７ｂの直径よりも長いものであればよい。上記配線が、２以上のコンタクトホールで１つの外部接続端子と接続される形態によれば、一つのコンタクトホールが接続不良となったとしても、他のコンタクトホールにより外部接続端子との接続が確保されるため、外部接続端子と配線との断線が生じることを防止することができる。【００２２】
第二形態では、一つの外部接続端子と接続される２以上のコンタクトホールの端から端までの長さ、すなわち、１つの外部接続端子に設けられたコンタクトホールの外縁の任意の一箇所から他の箇所（同一のコンタクトホールの外縁の一箇所でもよいし、他のコンタクトホールの外縁の一箇所でもよい）までの最大の長さが、導電粒子の直径よりも大きいものであればよいが、コンタクトホールのそれぞれが、導電粒子の直径よりも大きい径を有する形態では、外部接続端子と配線との間の接続を特に確実に確保できる。【００２３】
また、本発明によって、より確実に接続不良を防止するためには、押し圧による変形量に対する余裕分（マージン）を考慮して、特定の外部接続端子に接続する１以上のコンタクトホールが形成された領域の一端から他端までの最大の長さは、導電粒子の直径の１．５倍以上であることが好ましい。【００２４】
本発明において、基板上に設けられる各コンタクトホールの大きさは異なっていてもよく、例えば、接続される外部接続端子ごとに異なっていてもよい。そのような場合においては、基板内の一つのコンタクトホール（１つの外部接続端子に１つのコンタクトホールが形成される場合）又は一群のコンタクトホール（１つの外部接続端子に複数のコンタクトホールが形成される場合）のうち、最小の大きさで形成されたものの一端から他端までの長さよりも直径の小さな導電粒子が異方性導電膜に含まれていればよい。【００２５】
上記絶縁膜に形成されるコンタクトホールは、通常、ドライエッチング、ウェットエッチング等により形成されるが、該コンタクトホールを断面視すると、テーパー形状又は逆テーパー形状となって、絶縁膜の上面（外部接続端子側の面）と下面（基板側の面）とでコンタクトホールの一端から他端までの長さが異なる場合がある。この場合、少なくとも絶縁膜の上面において、特定の外部接続端子に接続する１以上のコンタクトホールが形成された領域の一端から他端までの長さが導電粒子の直径よりも大きければよい。少なくとも絶縁膜の上面におけるコンタクトホールの一端から他端までの長さが導電粒子の直径より大きいものであれば、導電粒子に起因する外部接続端子の破壊を充分に防止することができる。【００２６】
上記コンタクトホールの形状としては、例えば、正方形状、長方形状、三角形状等の多角形状；真円状、楕円状等の円状；等でもよく、特に限定されない。例えば、平面視したときのコンタクトホールの形状が楕円状の長穴である場合、楕円の短径が導電粒子の直径より小さいものであったとしても、楕円の長径が導電粒子の直径よりも大きいものであれば、外部接続端子と配線との導通部分が完全に破壊されることを防止して、接続の確実性を高めることができる。すなわち、上記コンタクトホールは、平面視したときに長穴であり、該長穴の最大径が導電粒子の直径よりも大きいものであってもよい。また、より確実に接続不良を防止するためには、長穴の最大径は、導電粒子の直径の１．５倍以上であることが好ましい。上記長穴は、平面視したときに、短径と長径を有する形状の穴であり、楕円、長方形、二等辺三角形等の種々の形状が挙げられる。なお、ここで、短径とは平面視したときの穴において最も短い径のことを意味し、長径とは平面視したときの穴において最も長い径のことを意味する。【００２７】
上記コンタクトホールの面積としては、特に限定されるものではないが、平面視したときに、導電粒子の面積よりも大きいことが好ましい。コンタクトホールの面積が大きい場合には、配線と外部接続端子との接触面積が増加することとなるため、接続部分における抵抗を低くすることができる。【００２８】
上記異方性導電膜に接続される外付け部材としては特に限定されず、例えば、抵抗器、コンデンサ、コイル、コネクタ、ダイオード、トランジスタ等の電子部品；フレキシブルプリント基板（ＦＰＣ：Ｆｌｅｘｉｂｌｅ  Ｐｒｉｎｔｅｄ  Ｃｉｒｃｕｉｔｓ）、回路素子及び配線を含む集積回路（ＩＣ：Ｉｎｔｅｇｒａｔｅｄ  Ｃｉｒｃｕｉｔ）が形成されたチップ（ＣＯＧ：Ｃｈｉｐ  Ｏｎ  Ｇｌａｓｓ）又は樹脂フィルム（ＣＯＦ：Ｃｈｉｐ  Ｏｎ  ｆｉｌｍ）が挙げられる。また、その他には、プリント配線板（ＰＷＢ：Ｐｒｉｎｔｅｄ  Ｗｉｒｉｎｇ  Ｂｏａｒｄ）、プリント回路板（ＰＣＢ：Ｐｒｉｎｔｅｄ  Ｃｉｒｃｕｉｔ  Ｂｏａｒｄ）、テープキャリアパッケージ（ＴＣＰ：Ｔａｐｅ  Ｃａｒｒｉｅｒ  Ｐａｃｋａｇｅ）が挙げられる。このような外付け部材が異方性導電膜を介して外部接続端子と電気的に接続されることとなる。このように、本発明の回路基板は、異方性導電膜上に外付け部材を備えることが好ましい。そして、上記外付け部材は、外部接続端子と重なる領域に導電性突起物を備えることが好ましい。このような導電性突起物を「外部接続配線」や「バンプ」ともいう。このような導電性突起物が異方性導電膜中の導電粒子を介して外部接続端子と接続されることとなる。【００２９】
本発明の回路基板の構成としては、上述の配線、絶縁膜、外部接続端子、異方性導電膜及びコンタクトホールを必須とするものである限り、その他の構成要素により限定されるものではない。例えば、本発明の回路基板は、液晶表示装置等に用いられる表示装置用基板として好適に用いることができるが、表示装置用基板である場合、表示画像を構成する最小の単位となる画素の駆動を行うための薄膜トランジスタ（ＴＦＴ）等のスイッチング素子；画素に信号を伝達するソース配線、ゲート配線等の配線；表示を行うための画素電極；等を備えていてもよい。【００３０】
また、ドライバ回路等の駆動に必要な周辺回路を設けたフルモノリシック型の回路基板である場合には、ドライバ回路、電源回路、静電気放電（Ｅｌｅｃｔｒｏｓｔａｔｉｃ  Ｄｉｓｃｈａｒｇｅ：ＥＳＤ）保護回路等の回路を備えていてもよい。ドライバ回路としては、ソースドライバ回路、ゲートドライバ回路等が挙げられる。また、ドライバ回路を構成する回路としては、トランスミッションゲート、ラッチ回路、タイミングジェネレータ、電源回路等によるインバータが挙げられる。
本発明の回路基板における好ましい形態について以下に詳しく説明する。【００３１】
本発明の回路基板の好ましい形態としては、上記配線が、平面視したときに、その伸長方向に対して側方に突出した幅広部を有し、上記コンタクトホールが、該幅広部に設けられている形態が挙げられる。このように、上記配線は、平面視したときに、伸長方向に対して側方に広がった幅広部を有し、該幅広部上の絶縁膜にコンタクトホールが形成され、このコンタクトホールにより外部接続端子と配線とが接続されることが好ましい。上記伸長方向に対して突出した幅広部を有することによって、絶縁膜に形成されるコンタクトホールの面積を大きくすることができるため、接続不良を効果的に防止することができる。なお、伸長方向とは、配線が直線状に伸びる方向であり、一続きの配線が複数箇所で折れ曲がっているような場合には、上記外部接続端子と接続される箇所において伸びている方向、言い換えると、屈曲した部分から外部接続端子に向かう方向である。例えば、図１で示すように、配線１１５と外部接続端子１１６とが配置されている場合、図１中の白抜き矢印で示す方向を伸長方向という。伸長方向に対して側方とは、すなわち、配線の幅方向のことであり、例えば、図１で示される回路基板においては、両矢印で示される方向である。【００３２】
上記幅広部の好ましい形態としては、平面視したときに、上記配線の伸長方向に対して一方の側方のみに突出している形態が挙げられる。伸長方向に対して一方の側方のみに突出するとは、幅方向のいずれか一方に配線の幅が大きくなっている（広くなっている）ことを意味する。これによれば、他の配線等が配置されていない方向にのみ配線の幅を広げることができるため、配線間の距離を広げることなく、コンタクトホールの一端から他端までの長さを大きくして、配線と外部接続端子との接続不良を防止することができる。また、例えば、２以上の配線が平行して伸長している場合、幅方向の両方に突出する場合と比較して、配線同士の接触を防止しつつ、配線間の距離を小さくすることができるため、配線面積をより小さくすることができる。なお、現状の微細加工技術では、通常、コンタクトホールのパッド部の線幅が配線幅よりも大きくなるために、幅方向の両方に幅広部が突出する形態では、配線間の距離が大きくなり、外部接続端子下に配置される配線数を増加させることが困難である。【００３３】
上記幅広部の形状としては、伸長方向に対して側方に広がった形状であれば特に限定されず、例えば、図１４（ａ）に示すように、配線１９が半円状に広がった幅広部１９ａの形状、図１４（ｂ）に示すように、配線２０が四角形状に広がった幅広部２０ａの形状、図１４（ｃ）に示すように、配線２１が三角形状に広がった幅広部２１ａの形状でもよい。また、図１４（ａ）の形態、図１４（ｂ）の形態及び図１４（ｃ）の形態における幅広部は、図中の両矢印で示す範囲の配線部分をいう。幅広部の面積を大きくする観点からは、四角形状に広がった形状が好適である。なお、実際に幅広部を形成する場合には、通常、パターニングの精度のために角が丸まったものとなるが、四角形状、三角形状という場合には角が丸まっていたとしても実質的に四角形状、三角形状とみなせるものであればよい。また、上記幅広部を有する配線の形態としては、図１２（ａ）に示すように、配線１５の先端に幅広部１５ａが形成されていてもよいし、図１２（ｂ）のように、配線１６の途中に幅広部１６ａが形成されていてもよい。【００３４】
上記幅広部が上記配線の伸長方向に対して一方の側方のみに突出している形態としては、上記回路基板が、平面視したときに、平行して伸長する２以上の配線と、その伸長方向に並ぶ２以上の外部接続端子を有し、該２以上の配線が、回路基板の端部側又は内側に向かって突出した幅広部を有し、かつ幅広部が突出した側に配置された配線が、その隣り合う配線よりも伸長方向への長さが短い形態が好適である。すなわち、（１）上記回路基板が、平面視したときに、平行して伸長する２以上の配線と、その伸長方向に並ぶ２以上の外部接続端子を有し、該２以上の配線が、回路基板の端部側に向かって突出した幅広部を有し、かつ端部側に配置された配線が、その隣り合う配線（内側に配置された隣り合う配線）よりも伸長方向への長さが短い形態、（２）上記回路基板が、平面視したときに、平行して伸長する２以上の配線と、その伸長方向に並ぶ２以上の外部接続端子を有し、該２以上の配線が、回路基板の内側に向かって突出した幅広部を有し、かつ内側に配置された配線が、その隣り合う配線（端部側に配置された隣り合う配線）よりも伸長方向への長さが短い形態が好適である。【００３５】
この形態では、幅広部が突出する方向が配線の伸長方向に対する側方のいずれか一方であり、幅広部が突出する側に配置された配線の伸長方向への長さを短くしているので、配線が配置されていない側に幅広部が突出することとなる。このため、幅広部を設けたとしても、平行して伸長する配線間において、配線の幅広部と該配線と隣り合う配線との間隔が短くならない。したがって、配線間の距離を充分に確保しつつ幅広部を設けることができ、より配線の集積化を図ることができる。その結果、配線を配置する領域の面積を削減することができるため、本発明の回路基板を表示装置用基板として用いる場合に狭額縁化を図ることができる。【００３６】
なお、上記伸長方向への長さとは、例えば、図１に示す回路基板においては、Ｂ１、Ｂ２等で示す、配線が屈曲した部分から外部接続端子の方向への長さのことである。なお、本明細書中で、「平行」とは、完全に平行であることのみならず、実質的に平行とみなすことができるものであればよく、例えば、２以上の配線が平行して伸長する場合には、配線同士のなす角度が５°以内の場合を含む。また、回路基板の端部側とは、配線の伸長方向に対する両側方において、回路基板の端部が近い側である。回路基板の内側とは、配線の伸長方向に対する両側方において、回路基板の端部が近い側とは反対側である。【００３７】
上記２以上の外部接続端子の配置形態は、配線が伸長する方向に並べられた形態であれば特に限定されず、例えば、複数の外部接続端子が同じ形状の長方形状であった場合、その短辺が配線の伸長方向と平行である外部接続端子と、その長辺が配線の伸長方向と平行である外部接続端子とが交互に並んだ形態等であってもよいが、狭額縁化を図り配線を配置する領域の面積を削減する観点からは、その短辺が配線の伸長方向と平行である外部接続端子が間隔を空けて一列に並んだ形態が好ましい。【００３８】
上記（１）の形態は、端部側の配線と内側の配線との配線抵抗を均一化するのに好適であり、回路基板の動作安定性を高めるのに有利である。これは、図１で示す回路基板のように、平行な２以上の配線が基板の隅部で屈曲すると、端部側の配線は内側の配線よりも長くなるので、端部側の配線が屈曲した先の伸長方向への長さを内側の配線よりも短くすることで、端部側の配線と内側の配線の長さを揃えることができるためである。【００３９】
上記（２）の形態は、配線を配置する領域の面積を削減するのに好適であり、本発明の回路基板を表示装置用基板として用いる場合における狭額縁化に有利である。これは、内側の配線を端部側の配線よりも伸長方向へ短くすることで、外部接続端子下の内側寄りの領域に配線が配置されていない領域が形成され、回路を形成する配線や薄膜トランジスタ等の素子を配置できるようになるためである。例えば、図３で示す回路基板では、回路基板の端部側に配置された配線が内側に配置された配線よりも長いため、外部接続端子下に、トランジスタ等の回路及びそれに接続される配線を配置し、回路等を形成する面積が削減されている。【００４０】
本発明の回路基板の好ましい形態としては、上記２以上の配線が、異なる面積のコンタクトホールで外部接続端子に接続されている形態が挙げられる。例えば、上記配線と外部接続端子との配置関係として、図５に示すように、配線が屈曲した部分から配線の伸長方向に向かって、隣り合う配線の一方が既に他の外部接続端子と接続され、配線の幅広部の一方（伸長方向に対して側方の一方）には配線が配置されていない場合がある。このような場合においては、幅広部の面積を大きくすることができるので、コンタクトホールの面積も大きくすることができる。これにより、外部接続端子と配線とのコンタクト抵抗を調整することができるため、例えば、配線長の相違によって生じる配線抵抗の相違を補償することができる。また、コンタクトホールの面積を大きくすることによって、接続不良が生じることを抑制することができる。【００４１】
本発明の回路基板の好ましい形態としては、上記２以上の配線が、配線長が長いほど面積の大きいコンタクトホールに接続されている形態が挙げられる。上記配線は、通常、同じ配線幅であれば配線長が長いほど配線抵抗が大きくなるため、例えば、図５に示す場合では、配線長が長い回路基板の端部側に位置する配線よりも、配線長が短い回路基板の内側に位置する配線の方が配線抵抗が小さくなる。そこで、配線長が長い配線におけるコンタクトホールの面積を大きくし、配線長が短い配線におけるコンタクトホールの面積を小さくすることによって、コンタクトホール部分における抵抗を調整し、配線抵抗を均一化することができる。配線抵抗を均一化することによって、回路基板の動作の安定性が向上することとなる。ここで、配線長は、回路内素子に繋がる一続きの配線における長さを意味し、該一続きの配線は、異なる層に形成された配線が互いに接続されて構成されたものであってもよい。【００４２】
本発明は更に、上記回路基板を備える表示パネルや、この表示パネルを備える表示装置でもある。本発明は種々の表示装置に適用することができ、例えば、液晶ディスプレイ、プラズマディスプレイ、無機エレクトロルミネセンスディスプレイ、有機エレクトロルミネセンスディスプレイ等に適用することができる。【００４３】
本発明の表示パネル及び表示装置においては、上述したように、１つの外部接続端子に接続する１以上のコンタクトホールが形成された領域の一端から他端までの長さが導電粒子の直径よりも大きいことによって、配線と外部接続端子との接続不良の発生を抑制することができる。その結果、製造歩留りを改善することができ、生産性を向上することができる。【００４４】
更に、上述したように、配線に幅広部を形成することによって、接続不良の抑制に加えて、配線間の距離を短くすることができる。これにより、表示装置を狭額縁化をすれば、表示装置を小型化したり、軽量化できるため、携帯電話やＰＤＡ等の携帯型の電子機器により好適に用いることができる。
【発明の効果】
【００４５】
本発明の回路基板によれば、配線と外部接続端子との接続を安定なものとし、接続不良が生じることを抑制することができる。
【図面の簡単な説明】
【００４６】
【図１】実施形態１に係る回路基板の端部を示す平面模式図である。
【図２】実施形態１に係る回路基板の端部を示す断面模式図である。
【図３】実施形態２に係る回路基板の端部を示す平面模式図である。
【図４】実施形態２に係る回路基板の端部を示す断面模式図である。
【図５】実施形態３に係る回路基板の端部を示す平面模式図である。
【図６】実施形態３に係る回路基板の端部を示す断面模式図である。
【図７】実施形態４に係る回路基板の端部を示す平面模式図である。
【図８】実施形態５に係る回路基板の端部を示す平面模式図である。
【図９】実施形態６に係る回路基板の端部を示す平面模式図である。
【図１０】比較形態１に係る回路基板の端部を示す平面模式図である。
【図１１】比較形態１に係る回路基板の端部を示す断面模式図である。
【図１２】（ａ）は、配線の先端に幅広部が設けられた例を示す平面模式図であり、（ｂ）は、配線の途中に幅広部が設けられた例を示す平面模式図である。
【図１３】（ａ）は、一つの配線を複数のコンタクトホールで接続する場合において、幅広部を設けない形態を示す平面模式図であり、（ｂ）は、一つの配線を複数のコンタクトホールで接続する場合において、コンタクトホール毎に幅広部を設けた形態を示す平面模式図である。
【図１４】（ａ）は、幅広部を半円状に配線から突出した形態とした例を示す平面模式図であり、（ｂ）は、幅広部を四辺形状に配線から突出した形態とした例を示す平面模式図であり、（ｃ）は、幅広部を三角形状に配線から突出した形態とした例を示す平面模式図である。
【図１５】１つの外部接続端子に対して複数のコンタクトホールが形成された場合の、コンタクトホールが形成された領域の一端から他端までの距離の算出方法を示す平面模式図である。
【発明を実施するための形態】
【００４７】
以下に実施形態を掲げ、本発明を図面を参照して更に詳細に説明するが、本発明はこれらの実施形態のみに限定されるものではない。
【００４８】
（実施形態１）
図１は、実施形態１に係る回路基板の端部を示す平面模式図である。図２は、図１に示す回路基板を線分Ａ−Ｂで分断したときの断面模式図である。実施形態１に係る回路基板は、液晶表示装置に用いられる表示装置用基板であり、図１及び図２中には図示されていないが、回路基板の内側には画素の駆動に用いられる薄膜トランジスタ、画素電極、ドライバ回路等が形成されている。
【００４９】
図２で示すように、実施形態１に係る回路基板の端部では、基板１１０上に、ベースコート膜１１１、第一絶縁膜１１２、第二絶縁膜１１３、配線１１５、第三絶縁膜１１４がこの順に配置されている。第三絶縁膜１１４上には、金属膜１１６ａと透明導電膜１１６ｂとが積層された外部接続端子１１６が配置されている。第三絶縁膜１１４の膜厚は、例えば、０．５〜４μｍとされ、外部接続端子の膜厚は、例えば、１００〜１０００ｎｍとされる。外部接続端子１１６は、第三絶縁膜１１４に形成されたコンタクトホール１１８を介して配線の幅広部１１５ａに接続されている。
【００５０】
外部接続端子１１６上には、外部接続端子１１６とフレキシブルプリント基板（ＦＰＣ）１１９の外部接続配線１１９ａとを電気的に接続するために、異方性導電膜１１７が配置される。異方性導電膜１１７は絶縁材料１１７ａ中に導電粒子１１７ｂを含有するものである。なお、ＦＰＣ１１９は、樹脂基板１１９ｂの表面に外部接続配線１１９ａ等が設けられたものである。
【００５１】
実施形態１に係る回路基板では、図１に示すように、平行して伸長する配線１１５の幅広部１１５ａにおいて、第三絶縁膜１１４に形成されたコンタクトホール１１８を介して、配線１１５と外部接続端子１１６とが接続されている。配線１１５は、基板１１０の端部に沿って伸びており、基板１１０の角部近傍で、図１の右方向から下方向へと屈曲している。図１では、基板１１０の角部から下方向に向かって、複数の同一形状の外部接続端子１１６が間隔を空けて並んでおり、各配線１１５は、基板１１０の端部に沿って図１の下方向（配線の伸長方向）に伸びており、対応する外部接続端子１１６の直下にある幅広部１１５ａでコンタクトホール１１８と接続されている。幅広部１１５ａは、コンタクトホール１１８を配置するために、基板１１０の端部側（外側）に向かって突出するように配線を広げた部分であり、本実施形態においては配線１１５の末端である。平行して伸長する配線１１５のうち、基板１１０の端部側に形成された配線１１５ほど、図１の上部に幅広部１１５ａが設けられており、すなわち屈曲した先の配線の長さが短くなっている。配線１１５の幅は、例えば、２〜４μｍとされる。幅広部１１５ａの幅（伸長方向に対して側方への幅）は、例えば、４〜６μｍとされる。
【００５２】
コンタクトホール１１８は各外部接続端子１１６に１つずつ設けられている。コンタクトホール１１８は長方形状であり、その長軸の長さ（径の長さ）は、例えば、３〜８μｍとされる。なお、コンタクトホールの長軸の長さは、第三絶縁膜１１４の上面における長さを示している。
【００５３】
導電粒子１１７ｂの直径は、コンタクトホールの長軸の長さよりも小さくされ、例えば、２〜６μｍとされる。この値は、ＦＰＣ１１９が取り付けられた後に、回路基板を平面視したときの直径（最大径）に基づく。導電粒子の直径については、光学顕微鏡を用いた光学測定法によって算出することができる。なお、導電粒子の直径の値に関しては、後述する他の実施形態においても同様である。
【００５４】
本実施形態では、コンタクトホール１１８の最大径が導電粒子１１７ｂの直径よりも大きいことによって、外部接続端子１１６を構成する金属膜１１６ａ及び透明導電膜１１６ｂが導電粒子１１７ｂによって圧壊されたとしても、外部接続端子１１６とＦＰＣ１１９の外部接続配線１１９ａとが電気的に遮断されにくくなっており、接続信頼性において優れている。
【００５５】
また、本実施形態では、回路基板の端部側のみに突出した幅広部１１５ａが配線１１５に形成されていることにより、配線１１５間の距離を短くすることができる。このため、配線１１５を配置するために基板面内に確保が必要な面積を削減し、狭額縁化を図ることができる。
【００５６】
更に、回路基板の端部側に配置された配線１１５が、配線の屈曲部からの長さが短くなるように外部接続端子１１６に接続されているので、端部側に配置された配線の長さと、内側に配置された配線の長さとを近いものとすることができ、配線１１５間の抵抗の均一化を図ることができる。図１中で、回路基板の最も端部側に配置された配線Ｐの長さは、Ａ１＋Ｂ１となり、これに隣り合う配線Ｑの長さは、Ａ２＋Ｂ２である。Ａ１＞Ａ２であり、Ｂ１＜Ｂ２であるため、内側に配置された配線から順番に外部接続端子に接続される場合と比較して、配線Ｐと配線Ｑの配線長が近いものとなり、両配線の抵抗を均一化することができる。
【００５７】
（実施形態２）
図３は、実施形態２に係る回路基板の端部を示す平面模式図である。図４は、図３に示す回路基板を線分Ｃ−Ｄで分断したときの断面模式図である。なお、実施形態２に係る回路基板において、配線、絶縁膜等の厚みについては実施形態１と同様である。
【００５８】
図４で示すように、実施形態２に係る回路基板は、基板２１０上に、ベースコート膜２１１、半導体層２２０、第一絶縁膜（ゲート絶縁膜）２１２、ゲート配線２２２、第二絶縁膜２１３がこの順に配置されている。第二絶縁膜２１３上には、配線２１５（図４中では配線２１５の幅広部２１５ａを示している。）及びソース・ドレイン配線２２１が配置されている。ソース・ドレイン配線２２１は、第二絶縁膜２１３及び第一絶縁膜（ゲート絶縁膜）２１２に形成されたコンタクトホール２１８によって半導体層２２０に接続されている。また、配線２１５及びソース・ドレイン配線２２１上には、第三絶縁膜２１４が配置され、その上には、金属膜２１６ａと透明導電膜２１６ｂとが積層された外部接続端子２１６が配置されている。外部接続端子２１６は、第三絶縁膜２１４に形成されたコンタクトホール２１８を介して配線２１５の幅広部２１５ａに接続されている。
【００５９】
外部接続端子２１６上には、ＦＰＣ２１９の外部接続配線２１９ａと電気的に外部接続端子２１６とを接続するために、異方性導電膜２１７が配置されている。異方性導電膜２１７は絶縁材料２１７ａ中に導電粒子２１７ｂを含有するものである。なお、ＦＰＣ２１９は、樹脂基板２１９ｂの表面に外部接続配線２１９ａ等が設けられたものである。
【００６０】
実施形態２に係る回路基板では、図３に示すように、平行して伸長する配線２１５の幅広部２１５ａにおいて、第三絶縁膜２１４に形成されたコンタクトホール２１８を介して、配線２１５と外部接続端子２１６とが接続されている。そして、配線２１５は、回路基板の内側に配置された配線ほど、配線の屈曲部からの長さが短くなるように、外部接続端子２１６と接続されており、回路基板の内側に広がる（突出する）幅広部２１５ａを有している。このとき、配線２１５の幅は、例えば、２〜４μｍとされ、幅広部２１５ａの幅は４〜６μｍとされる。
【００６１】
コンタクトホール２１８は長方形状であり、その長軸の長さは３〜８μｍとされ、導電粒子の直径よりも大きい。なお、コンタクトホールの長軸の長さ（径の長さ）は、第三絶縁膜２１４の上面における長さを示している。
【００６２】
また、実施形態２においては、回路基板の角部側から下に向かって縦方向に見たときに、配線１１５と外部接続端子１１６との接続位置が、回路基板の内側から端部側に順番に移動することから、回路基板の端部側に配置された配線が接続する外部接続端子下には、回路基板の内側寄りに空き領域が形成される。そのため、外部接続端子１１６に接続される配線１１５の他に、トランジスタを構成する配線、半導体層等を外部接続端子１１６下に形成することができるため、更に狭額縁化を図ることができる。
【００６３】
（実施形態３）
図５は、実施形態３に係る回路基板の端部を示す平面模式図である。図６は、図５に示す回路基板を線分Ｅ−Ｆで分断したときの断面模式図である。なお、実施形態３に係る回路基板において配線、絶縁膜等の厚みについては実施形態１と同様である。実施形態３に係る回路基板は、液晶表示装置に用いられる表示装置用基板であり、図５及び６中には図示されていないが、回路基板の内側には画素の駆動に用いられる薄膜トランジスタ、画素電極、ドライバ回路等が形成されている。
【００６４】
図６で示すように、実施形態３に係る回路基板の端部では、基板３１０上に、ベースコート膜３１１、第一絶縁膜（ゲート絶縁膜）３１２、第二絶縁膜３１３、配線３１５、第三絶縁膜３１４がこの順に配置されている。第三絶縁膜３１４上には、金属膜３１６ａと透明導電膜３１６ｂとが積層された外部接続端子３１６が配置されている。外部接続端子３１６は、第三絶縁膜３１４に形成されたコンタクトホール３１８を介して配線の幅広部３１５ａに接続されている。
【００６５】
外部接続端子３１６上には、ＦＰＣ３１９の外部接続配線３１９ａと外部接続端子３１６とを電気的に接続するために、異方性導電膜３１７が配置されている。異方性導電膜３１７は絶縁材料３１７ａ中に導電粒子３１７ｂを含有するものである。なお、ＦＰＣ３１９は、樹脂基板３１９ｂの表面に外部接続配線３１９ａ等が設けられたものである。
【００６６】
実施形態３に係る回路基板は、図５に示すように、平行して伸長する配線３１５の幅広部３１５ａにおいて第三絶縁膜３１４に形成されたコンタクトホール３１８を介して外部接続端子３１６と接続されている。そして、配線３１５は、回路基板の内側に配置された配線ほど、配線の屈曲部からの長さが短くなるように外部接続端子３１６と接続されており、回路基板の内側に広がる（突出する）幅広部３１５ａを有している。このとき、配線３１５の幅は、例えば、２〜４μｍとされ、幅広部３１５ａの幅は回路基板の端部側に配置された配線から内側に配置された配線になるにつれて順番に小さくなるように設計され、その幅は、例えば、４〜６μｍとされる。
【００６７】
コンタクトホール３１８は長方形状であり、コンタクトホール３１８の径の長さは、幅広部３１５ａの幅と同様に、回路基板の端部側に配置された配線から内側に配置された配線になるにつれて順番に小さくなるように設計され、コンタクトホール３１８の長軸の長さは、導電粒子３１７ｂの直径よりも大きい。
【００６８】
このように、配線長が長い配線３１５ほど幅広部３１５ａ及びコンタクトホール３１８の面積を大きくすることによって、配線３１５間の抵抗の均一化を図ることができる。コンタクトホール３１８の面積が大きいほど、配線３１５と外部接続端子３１６の接続部分における抵抗は低くなるため、配線長が長いことによって大きくなっていた配線抵抗を、これより短い他の配線に近づけることができる。例えば、図５において、回路基板の内側に配置された２つの配線を比較した場合、図示されている範囲における配線長は、最も内側の配線ＲがＣ１＋Ｄ１であり、２番目に配置された配線ＳではＣ２＋Ｄ２となり、より内側に配置された配線Ｒの方が配線長が長くなっており、そのため、外側に配置された配線ほどコンタクトホール３１８の面積が大きくされている。
【００６９】
（実施形態４）
図７は、実施形態４に係る回路基板の端部を示す平面模式図である。実施形態４に係る回路基板は、図７に示すように、幅広部が設けられていない等の配線形状の違い、コンタクトホールの面積が異なること以外は、実質的に実施形態１と同様の構成である。
【００７０】
実施形態４に係る回路基板は、平行して伸長する配線４１５が第三絶縁膜４１４に形成されたコンタクトホール４１８を介して外部接続端子４１６と接続されている。このとき、コンタクトホール４１８は、一つの配線に複数設けられており、外部接続端子４１６と複数箇所で接続されている。なお、配線４１５の幅は、３〜５μｍとされる。
【００７１】
各コンタクトホール４１８の長軸の長さは２〜４μｍ、各コンタクトホール４１８の間隔は、２〜４μｍとされ、各配線毎に６つのコンタクトホール４１８が形成されているため、一つの外部接続端子４１６に対するコンタクトホール４１８が形成された領域の一端から他端までの長さは２２μｍ（内訳：６×２μｍ＋５×２μｍ）〜４４μｍ（内訳：６×４μｍ＋５×４μｍ）となる。このとき、導電粒子の直径は２〜６μｍとされるが、複数のコンタクトホール４１８を一つの配線４１５上に形成し、複数箇所で外部接続端子４１６と接続されているので、一つのコンタクトホール４１８が導電粒子４１７ｂによって圧壊されたとしても、他のコンタクトホール４１８で外部接続端子と接続され、接続不良は生じない。なお、実施形態４では配線に幅広部を形成していないが、例えば、図１３（ｂ）に示すように、各コンタクトホール毎に幅広部を形成してもよい。
【００７２】
（実施形態５）
図８は、実施形態５に係る回路基板の端部を示す平面模式図である。実施形態５に係る回路基板は、図８に示すように、幅広部が設けられていない等の配線形状の違い、コンタクトホールの面積が異なること以外は、実質的に実施形態１と同様の構成である。実施形態５に係る回路基板は、平行して伸長する配線５１５が第三絶縁膜５１４に形成されたコンタクトホール５１８を介して外部接続端子５１６と接続されている。このとき、コンタクトホール５１８は、配線５１５の伸長方向に長い、長穴の形状（長方形状）である。このような形状であれば、コンタクトホールの一部が導電粒子により圧壊されたとしても、接続部分の全体が破壊されることはなく、接続不良を防止することができる。このときの長方形状の長径は３〜２０μｍとされ、導電粒子の直径よりも大きくされる。なお、実施形態５では幅広部を形成していないが、配線５１５に幅広部を形成し、更にコンタクトホール５１８が長穴である形態であればより好ましい。
【００７３】
（実施形態６）
図９は、実施形態６に係る回路基板の端部を示す平面模式図である。実施形態６に係る回路基板は、図９に示すように、幅広部の形状等の配線形状の違い、コンタクトホールの面積が異なること以外は、実質的に実施形態１と同様の構成である。実施形態６に係る回路基板は、平行して伸長する配線６１５が第三絶縁膜６１４に形成されたコンタクトホール６１８を介して外部接続端子６１６と接続されている。このとき、配線６１５には、配線が伸長する方向（伸長方向）に対して両方の側方に突出した幅広部６１５ａを有している。このとき、各コンタクトホール６１８の長軸の長さは４〜９μｍとされ、導電粒子６１７ｂの直径は、３〜６μｍとされ、コンタクトホール６１８の長軸の長さは、導電粒子６１７ｂの直径よりも大きくされる。これによれば、コンタクトホール６１８の長軸の長さが導電粒子６１７ｂの直径よりも大きいため、導電粒子６１７ｂによる断線を防止することができる。このとき、配線６１５の幅は、２〜４μｍとされ、幅広部６１５ａの幅は３〜６μｍとされる。
【００７４】
実施形態６の形態では、配線の伸長方向に対して、側方の両方に突出した幅広部が形成されているため、実施形態１〜５で示す形態よりも幅広部において配線間の距離が短くなる。このため、幅広部での配線間の短絡を防止するためには配線間の間隔を一定以上確保する必要があり、外部接続端子の直下に配置される配線数が制限されることがある。
【００７５】
（比較形態１）
図１０は、比較形態１に係る回路基板の端部を示す平面模式図である。図１１は、図１０に示す回路基板の線分Ｇ−Ｈで分断したときの断面模式図である。
図１１で示すように、比較形態１に係る回路基板の端部では、基板８１０上に第一絶縁膜８１３及び配線８１５が配置されている。配線８１５上には、第二絶縁膜８１４が配置され、その上には、金属から形成された外部接続端子８１６が配置されている。外部接続端子８１６は、第三絶縁膜８１４に形成されたコンタクトホール８１８を介して配線８１５に接続されている。
【００７６】
外部接続端子８１６上にはフレキシブルプリント基板（ＦＰＣ：Ｆｌｅｘｉｂｌｅ  Ｐｒｉｎｔ  Ｃｉｒｃｕｉｔｓ）８１９の外部接続配線８１９ａと外部接続端子８１６とを接続するための異方性導電膜８１７が配置されている。異方性導電膜８１７は絶縁材料８１７ａ中に導電粒子８１７ｂが含有されたものである。異方性導電膜８１７上に形成された外部接続配線８１９ａは、異方性導電膜８１７を介して外部接続端子８１６と電気的に接続されている。なお、ＦＰＣ８１９は、樹脂基板８１９ｂの面上に外部接続配線８１９ａ等が設けられたものである。
【００７７】
比較形態１に係る回路基板は、図１０に示すように、平行して伸長する配線８１５の先端において第二絶縁膜８１４に形成されたコンタクトホール８１８を介して外部接続端子８１６と接続されている。このとき、コンタクトホール８１８の長軸の長さは２μｍである。なお、コンタクトホール８１８の長軸の長さは、第二絶縁膜８１４の上面における長さを示している。また、導電粒子８１７ｂの直径は、５μｍである。このように、コンタクトホール８１８の長軸の長さが導電粒子８１７ｂの直径よりも小さいため、導電粒子８１７ｂによる圧壊が生じると、接続不良となる。
【００７８】
（実施形態１〜６に係る回路基板の製造方法）
以下に、実施形態１〜６に係る回路基板の製造方法ついて説明する。ここでは、図３及び４で示す実施形態２の回路基板を例にとって説明するが、実施形態１、３〜６の回路基板についても、配線の形状、コンタクトホールの形状等を適宜変更すれば、同様の方法により製造することができる。
【００７９】
まず、基板２１０に対して、前処理として、洗浄とプレアニールとを行う。基板２１０の種類は、特に限定されないが、コスト等の観点からは、ガラス基板、樹脂基板等が好適である。次に、以下の（１）〜（１０）の工程を行う。
【００８０】
（１）ベースコート膜の形成工程
前処理した基板２１０上に、プラズマ化学気相成長（Ｐｌａｓｍａ  Ｅｎｈａｎｃｅｄ  Ｃｈｅｍｉｃａｌ  Ｖａｐｏｒ  Ｄｅｐｏｓｉｔｉｏｎ：ＰＥＣＶＤ）法等によりＳｉＯＮ膜及びＳｉＯｘ膜を成膜し、ベースコート膜２１１を形成する。ＳｉＯＮ膜形成のための原料ガスとしては、モノシラン（ＳｉＨ４）、亜酸化窒素ガス（Ｎ２Ｏ）及びアンモニア（ＮＨ３）の混合ガス等が挙げられる。なお、ＳｉＯｘ膜は、原料ガスとして正珪酸四エチル（Ｔｅｔｒａ  Ｅｔｈｙｌ  Ｏｒｔｈｏ  Ｓｉｌｉｃａｔｅ：ＴＥＯＳ）ガスを用いて形成されることが好ましい。また、ベースコート膜２１１には、原料ガスとしてモノシラン（ＳｉＨ４）及びアンモニア（ＮＨ３）の混合ガス等を用いた窒化シリコン（ＳｉＮｘ）膜等を用いてもよい。
【００８１】
（２）半導体層の形成工程
ＰＥＣＶＤ法により、アモルファスシリコン（ａ−Ｓｉ）膜を形成する。ａ−Ｓｉ膜形成の原料ガスとしては、例えば、ＳｉＨ４、ジシラン（Ｓｉ２Ｈ６）等が挙げられる。ＰＥＣＶＤ法により形成したａ−Ｓｉ膜には水素が含まれているため、約５００℃でａ−Ｓｉ層中の水素濃度を低減する処理（脱水素処理）を行う。続いて、レーザアニールを行い、ａ−Ｓｉ膜を溶融、冷却、固化させることにより、ポリシリコン（ｐ−Ｓｉ）膜とする。レーザアニールには、例えば、エキシマレーザを用いる。また、連続粒界結晶シリコン（ＣＧ−シリコン）化するため、脱水素処理せずに、金属触媒を塗布する処理を行ってもよい。ｐ−Ｓｉ膜の形成には、レーザアニールの前処理として、固相結晶化の熱処理を行ってもよい。次に、四フッ化炭素（ＣＦ４）ガスによるドライエッチングを行い、ｐ−Ｓｉ膜をパターニングし、半導体層２２０が形成される。なお、半導体層２２０には、後述する第一絶縁膜の形成工程後、又は、ゲート電極の形成工程後に、イオンドーピング法等を用いてソース領域、ドレイン領域、チャネル領域等を形成する。
【００８２】
（３）第一絶縁膜（ゲート絶縁膜）の形成工程
次に、原料ガスとしてＴＥＯＳガスを用いて、酸化シリコンからなる第一絶縁膜（ゲート絶縁膜）２１２を形成する。第一絶縁膜２１２の材質は、特に限定されず、ＳｉＮｘ膜、ＳｉＯＮ膜等を用いてもよい。ＳｉＮｘ膜及びＳｉＯＮ膜形成のための原料ガスとしては、ベースコート膜の形成工程で述べたものと同様の原料ガスが挙げられる。また、第一絶縁膜２１２は、上記複数の材料からなる積層体でもよい。
【００８３】
（４）ゲート電極の形成工程
次に、スパッタリング法を用いて、窒化タンタル（ＴａＮ）膜、及び、タングステン（Ｗ）膜を成膜する。次に、フォトリソグラフィ法によりレジスト膜を所望の形状にパターン形成した後、アルゴン（Ａｒ）、六フッ化硫黄（ＳＦ６）、四フッ化炭素（ＣＦ４）、酸素（Ｏ２）、塩素（Ｃｌ２）等の分量を調整して作製された混合ガスをエッチングガスとして用いてドライエッチングを行い、ゲート電極２２２を形成する。ゲート電極２２２に用いられる金属としては、タンタル（Ｔａ）、モリブデン（Ｍｏ）、モリブデンタングステン（ＭｏＷ）、アルミニウム（Ａｌ）等の低抵抗金属、表面が平坦で特性の安定した高融点金属等が挙げられる。また、ゲート電極２２２は、上記複数の材料からなる積層体であってもよい。
【００８４】
（５）第二絶縁膜の形成工程
次に、基板の全面にＰＥＣＶＤ法により、ＳｉＮｘ膜を第二絶縁膜２１３として形成する。第二絶縁膜２１３としては、ＳｉＯＮ膜、ＴＥＯＳ膜等を用いてもよい。また、トランジェント劣化等を防止してＴＦＴ特性の信頼性向上、及び、電気特性の安定化を図るため、第二絶縁膜２１３の下の階層に膜厚５０ｎｍ程度の薄いキャップ膜（例えば、ＴＥＯＳ膜等）を形成してもよい。
【００８５】
（６）コンタクトホールの形成工程
次に、フォトリソグラフィ法によりレジスト膜を所望の形状にパターン形成した後、フッ酸系のエッチング溶液を用いて第一絶縁膜２１２及び第二絶縁膜２１３のウェットエッチングを行い、ソース・ドレイン配線２２１と半導体層２２０とを接続するためのコンタクトホールを形成する。なお、エッチングには、ドライエッチングを用いてもよいし、ウェットエッチングとドライエッチングを組み合わせてもよい。
【００８６】
（７）配線及びソース・ドレイン配線の形成工程
次に、スパッタ法等で、チタン（Ｔｉ）膜、アルミニウム（Ａｌ）膜、Ｔｉ膜をこの順で形成する。次に、フォトリソグラフィ法によりレジスト膜を所望の形状にパターン形成した後、ドライエッチングによりＴｉ／Ａｌ／Ｔｉの金属積層膜をパターニングし、第一ソース・ドレイン配線２２１を形成する。このとき、第一ソース・ドレイン配線２２１と半導体層２２０のソース領域又はドレイン領域とが第一絶縁膜２１２及び第二絶縁膜２１３に形成されるコンタクトホールを介して導通される。また、ソース・ドレイン配線２２１を構成する金属としては、Ａｌに代えてＡｌ−Ｓｉ合金等を用いてもよい。なお、ここでは、配線の低抵抗化のためにＡｌを用いたが、高耐熱性が必要で抵抗値のある程度の増加が許される短い配線構造にする場合は、上述したゲート電極材料（Ｔａ、Ｍｏ、ＭｏＷ、Ｗ、ＴａＮ等）を用いてもよい。
【００８７】
（８）第三絶縁膜の形成工程
次に、基板全面に、原料ガスとしてＴＥＯＳガスを用いて、酸化シリコンからなる第三絶縁膜２１４を形成する。第三絶縁膜２１４としては、ＳｉＯＮ膜、ＴＥＯＳ膜等を用いてもよい。また、有機絶縁膜を用いてもよい。
【００８８】
（９）コンタクトホールの形成工程
次に、レジスト膜を基板全面に形成し、フォトリソグラフィ法によりレジスト膜を所望の形状にパターニング後、フッ酸系のエッチング溶液を用いて第三絶縁膜２１４のウェットエッチングを行い、外部接続端子２１６と配線２１５とを接続するためのコンタクトホール２１８を形成する。なお、エッチングには、ドライエッチングを用いてもよいし、レジスト膜の現像と第三絶縁膜２１４のエッチングとを一括して行ってもよい。
【００８９】
（１０）外部接続端子の形成工程
コンタクトホール２１８を形成した第三絶縁膜２１４上に、スパッタ法等によって、金属膜とＩＴＯ膜を形成し、フォトリソグラフィ法によって所望の形状にパターニングし、外部接続端子２１６を構成する金属膜２１６ａ、透明導電膜２１６ｂを形成する。金属膜２１６ａは特に限定されないが、例えば、アルミニウム膜とモリブデン膜の積層膜等が好ましい。アルミニウム膜は導電性が高いものであるが、電食を生じやすいものであるため、アルミニウム膜上にバリア膜のモリブデン膜を形成することによって、アルミニウム膜の腐食を防止することができる。また、通常、アルミニウム膜とモリブデン膜とは一括してパターニングすることとなるため、アルミニウム膜の端部を腐食から防止するために、ＩＴＯ等の透明導電膜をその上から成膜し、端部を被覆する。これにより、腐食防止を図ることができる。また、透明導電膜２１６ｂは、表示装置において画素の駆動を行う画素電極と同一の工程で形成されることが好ましく、これにより、製造工程の簡略化を図ることができる。また、上述した実施形態１〜６では外部接続端子を金属膜と透明導電膜との積層膜としているが、特に限定されるものではなく、金属膜のみであってもよい。
【００９０】
その後、外部接続端子２１６上に異方性導電膜２１７を貼り合わせ、異方性導電膜２１７上に外部接続配線２１９ａを有するＦＰＣ２１９を貼り合わせる。
【００９１】
また、液晶表示パネルとするためには、シール材を回路基板上に形成し、例えば、カラーフィルタ等を形成した対向基板と貼り合わせる。シール材としては、特に限定されず、紫外線硬化型樹脂、熱硬化型樹脂等を用いることができる。その後、回路基板と対向基板との間に液晶を封入することによって、液晶表示パネルが完成する。また、液晶表示パネルに、偏光板等を実装することによって、液晶表示装置とすることができる。
【００９２】
このようにして、形成された液晶表示装置は、外部接続端子と配線とにおける接続不良を防止することができるとともに、配線の配置に利用される基板面積を減少させることで、額縁の狭い表示装置とすることができる。
【００９３】
なお、本願は、２００８年１１月１９日に出願された日本国特許出願２００８−２９６０５５号を基礎として、パリ条約ないし移行する国における法規に基づく優先権を主張するものである。該出願の内容は、その全体が本願中に参照として組み込まれている。
【符号の説明】
【００９４】
１５、１６、１７、１８、１９、２０、２１、１１５、２１５、３１５、４１５、５１５、６１５、８１５：配線
１５ａ、１６ａ、１７ａ、１８ａ、１９ａ、２０ａ、２１ａ、１１５ａ、２１５ａ、３１５ａ、４１５ａ、５１５ａ、６１５ａ：幅広部
１７ｂ、１１７ｂ、２１７ｂ、３１７ｂ、４１７ｂ、５１７ｂ、６１７ｂ、８１７ｂ：導電粒子
８、２８ａ、２８ｂ、３８ａ、３８ｂ、１１８、２１８、３１８、８１８：コンタクトホール
１１０、２１０、３１０、４１０、５１０、６１０、８１０：基板
１１１、２１１、３１１：ベースコート膜
１１２、２１２、３１２、８１２：第一絶縁膜
１１３、２１３、３１３、８１４：第二絶縁膜
１１４、２１４、３１４、４１４、５１４、６１４：第三絶縁膜
１１６、２１６、３１６、４１６、５１６、６１６、８１６：外部接続端子
１１６ａ、２１６ａ、３１６ａ：金属膜
１１６ｂ、２１６ｂ、３１６ｂ：透明導電膜
１１７、２１７、３１７、４１７、５１７、６１７、８１７：異方性導電膜
１１７ａ、２１７ａ、３１７ａ、４１７ａ、５１７ａ、６１７ａ、８１７ａ：絶縁材料
１１９、２１９、３１９、８１９：ＦＰＣ
１１９ａ、２１９ａ、３１９ａ、８１９ａ：外部接続配線
１１９ｂ、２１９ｂ、３１９ｂ、８１９ｂ：樹脂基板
２２０：半導体層
２２１：ソース・ドレイン配線
２２２：ゲート電極
【図１】
2010058619.tif 000003
【図２】
2010058619.tif 000004
【図３】
2010058619.tif 000005
【図４】
2010058619.tif 000006
【図５】
2010058619.tif 000007
【図６】
2010058619.tif 000008
【図７】
2010058619.tif 000009
【図８】
2010058619.tif 000010
【図９】
2010058619.tif 000011
【図１０】
2010058619.tif 000012
【図１１】
2010058619.tif 000013
【図１２】
2010058619.tif 000014
【図１３】
2010058619.tif 000015
【図１４】
2010058619.tif 000016
【図１５】
2010058619.tif 000017
【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
基板上に配線、絶縁膜及び外部接続端子がこの順に配置された回路基板であって、
該回路基板は、外部接続端子上に、導電粒子を含む異方性導電膜を備え、
該外部接続端子は、絶縁膜に形成された少なくとも１つのコンタクトホールを介して配線に接続され、
平面視したときに、特定の外部接続端子に接続する１以上のコンタクトホールが形成された領域の一端から他端までの長さは、導電粒子の直径よりも大きく、
該配線は、平面視したときに、その伸長方向に対して一方の側方のみに突出した幅広部を有し、
該コンタクトホールは、該幅広部に設けられていることを特徴とする回路基板。
【請求項２】
前記外部接続端子は、１つのコンタクトホールのみを介して配線に接続され、
平面視したときに、該コンタクトホールは、少なくとも一部で、導電粒子の直径よりも長い径を有することを特徴とする請求項１記載の回路基板。
【請求項３】
前記外部接続端子は、複数のコンタクトホールを介して配線に接続され、
平面視したときに、該複数のコンタクトホールが形成された領域の一端から他端までの長さは、導電粒子の直径よりも大きいことを特徴とする請求項１記載の回路基板。
【請求項４】
前記回路基板は、平面視したときに、平行して伸長する２以上の配線と、その伸長方向に並ぶ２以上の外部接続端子を有し、
該２以上の配線は、回路基板の端部側に向かって突出した幅広部を有し、かつ端部側に配置された配線が、その隣り合う配線よりも伸長方向への長さが短いことを特徴とする請求項１記載の回路基板。
【請求項５】
前記回路基板は、平面視したときに、平行して伸長する２以上の配線と、その伸長方向に並ぶ２以上の外部接続端子を有し、
該２以上の配線は、回路基板の内側に向かって突出した幅広部を有し、かつ内側に配置された配線が、その隣り合う配線よりも伸長方向への長さが短いことを特徴とする請求項１記載の回路基板。
【請求項６】
前記２以上の配線は、異なる面積のコンタクトホールで外部接続端子に接続されていることを特徴とする請求項４又は５記載の回路基板。
【請求項７】
前記２以上の配線は、配線長が長いほど面積の大きいコンタクトホールに接続されていることを特徴とする請求項６記載の回路基板。
【請求項８】
請求項１〜７のいずれかに記載の回路基板を備えることを特徴とする表示パネル。
【請求項９】
請求項８記載の表示パネルを備えることを特徴とする表示装置。
【国際調査報告】
2010058619.tif 000018
2010058619.tif 000019
2010058619.tif 000020
2010058619.tif 000021
2010058619.tif 000022
2010058619.tif 000023
2010058619.tif 000024